(57)【特許請求の範囲】
【請求項１】
尿路を形成する耐キンク性を有するメインルーメンと、軟弾性を有する排尿チューブとを、仕切板に固着したコネクターを介して接続すると共に、
前記仕切板の上面側に前記メインルーメンを巻込み且つ消毒液を液密に収納可能にした第一収納部を、前記仕切板の下面側に前記排尿チューブを折畳み収納可能にした第二収納部とからなる収容器を、それぞれ設けたことを特徴とする導尿器。
【請求項２】
前記収容器の第一収納部の囲繞側壁の一部に、軟弾性を有する部位を一体に設け、当該部位の中央に縦方向の切込みを入れて、当該切込みが、前記メインルーメンの外部への液密導出口となるように形成したことを特徴とする請求項１に記載の導尿器。
【請求項３】
前記軟弾性を有する部分を露出可能に被覆する被覆部材を前記囲繞側壁に設けたことを特徴とする請求項２に記載の導尿器。
【請求項４】
前記コネクターは短管状の三部材が連結して形成され、その内の第一部材の一端部が、メインルーメンの下端のジョイント部に接続され、その中間部が第一収納部の囲繞側壁の切込み導出口に挿入され、その他端部が軟弾性短管よりなる第二部材の一端部に接続され、また、第三部材はその一端部が前記第二部材の他端部に接続され、その中間部が収容器の仕切板に固着され、その下端部が排尿チューブの上端部に接続されるものであることを特徴とする請求項２又は３に記載の導尿器。
【請求項５】
コネクターの第一部材は硬質の短管よりなり、その断面形状は、両端部が真円形であり、中間部が縦長の楕円形であることを特徴とする請求項１乃至請求項４に記載の導尿器。
【請求項６】
収容器の第一収納部の囲繞側壁の上縁部にパッキンを周設し、且つ、第一収納部の囲繞側壁の対向する二ヶ所に、係止爪を立上げ形成した弾発係止部を設け、そして、前記第一収納部を被蓋する第一蓋体に、前記係止爪に符合する位置に被係止爪を設けると共に、蝶番を介して、前記第一収納部を第一蓋体で開閉自在に密封するようにしたことを特徴とする請求項１乃至請求項５に記載の導尿器。
【請求項７】
収容器の第二収納部と当該第二収納部を被蓋する第二蓋体間を、ねじ込み方式又は蝶番を介し弾発係止手段を利用して被蓋するようにしたことを特徴とする請求項１乃至請求項６に記載の導尿器。
【発明の詳細な説明】
【０００１】
【発明の属する技術分野】
本発明は、排尿障害によって膀胱内の残尿を排出する時に使用する導尿器であって、収容器にメインルーメン及び排尿チューブをコンパクトに収納することができ、置き場所を取らないと共に、携帯用として便利な形態に改良された導尿器に関するものである。
【０００２】
【従来の技術】
従来、図９に示すような自己導尿用カテーテルが知られている（たとえば、特許文献１参照）。即ち、この自己導尿用カテーテル８１は、尿路としてのメインルーメン８７を有する所定長さの本体チューブ８２の前端側側面に尿入口８４が、後端側側面に尿出口８５がそれぞれメインルーメン８７と連通して開口して設けられ、該尿出口８５が設けられた部分がそれ以外の部分より径大のコネクター部８３に形成されている、排尿障害の際に使用する自己導尿用カテーテル８１であって、コネクター部８３の長さ方向中央部より前端側に尿出口８５が開口し、該尿出口８５より後端側のコネクター部８３の長さが指で充分に把持可能な長さとなっており、かつ尿出口８５の後端側周囲となるコネクター部８３の外周面に尿拡散防止用突起８８が少なくともメインルーメン８７の内径の０．５倍以上の高さで設けられていることを特徴とし、上記自己導尿用カテーテル８１は、不使用時には、携帯用ケース８１１に収納された状態でキャップ８１０により密封保管されるようになっている。
【０００３】
【特許文献１】
特開平１１−２５３５４８号公報
【０００４】
【発明が解決しようとする課題】
しかしながら、上述の図９に示されているような自己導尿用カテーテル８１は、排尿時に手指や衣服を汚さないという効果を奏するものの、メインルーメン８７の部分が長い（標準男性用で約２５０ｍｍ）ので、これを携帯用ケース８１１に収納すると更に長尺となり、携帯用として不便であるばかりでなく、保管・持ち運び中の不使用時には、携帯用ケース８１１に収めたまま寝かせておくと場所を取り、そして、立てて置く場合には、別途、立掛け用の容器を用意しておかなければならなかったり、予め、携帯用ケース８１１に吊り具を取付けておく必要がある等の問題があった。さらに、自己導尿用カテーテル８１の使用時は、携帯用ケース８１１からキャップ８１０を外した状態となることから、消毒液が漏れやすくなっており、この点についての問題もあった。
【０００５】
本発明に係る導尿器は、上記課題を解決するために為されたものであり、尿路を形成するメインルーメンと排尿チューブとを接続するコネクター部分に、メインルーメンを巻込み収納すると共に消毒液を液密に収容する第一収納部と、この第一収納部と背中合わせに排尿チューブを折畳み収納する第二収納部とを形設して、導尿器の不使用時には、上記メインルーメン及び排尿チューブを上記各収納部にコンパクトに収めることができるようにして、置き場所を取らず、携帯に便利な形態とした、しかも、導尿器の使用時に液漏れのない導尿器を提供するものである。
【０００６】
【課題を解決するための手段】
上述した課題を解決するために本発明者は、導尿器のメインルーメンは本来耐キンク性を備えていると共に屈撓可能である点に着目し、導尿器の不使用時には、上記メインルーメンを収容器に巻込み収納するようにすれば、導尿器をコンパクトな形態で携行できて便利ではないかと想起すると共に、排尿時に手指や衣服を汚さないようにメインルーメンに連結使用する排尿チューブは、屈撓自在で復元性を有する軟弾性のものを利用して、この排尿チューブを収容器に折畳み収納できるようにすれば、導尿器を一層コンパクトな形態にすることができるものと考え至った。
【０００７】
そして、種々テストを重ねた結果、メインルーメンと排尿チューブ間を連結するコネクター部分に仕切板を設け、この仕切板の上面側に開閉蓋付きの第一収納部を設けて、消毒液に浸漬したメインルーメンを液密に巻込み収納するようにすると共に、仕切板の下面側に開閉蓋付きの第二収納部を設けて、排尿チューブを折畳み収納するようにして、所期の目的を達成できることができたものである。
【０００８】
本発明は、このような観点から為されたものである。以下、本発明の具体的な構成について説明する。即ち、請求項１に記載した本発明に係る導尿器は、尿路を形成する耐キンク性を有するメインルーメンと、軟弾性を有する排尿チューブとを、仕切板に固着したコネクターを介して接続すると共に、前記仕切板の上面側に前記メインルーメンを巻込み且つ消毒液を液密に収納可能にした第一収納部を、前記仕切板の下面側に前記排尿チューブを折畳み収納可能にした第二収納部とからなる収容器を、それぞれ設けたことを特徴とする。
【０００９】
このように、コネクターを固着した仕切板の上面側に、メインルーメンと該メインルーメンを消毒する消毒液とを密封収納可能にした第一収納部を形成すると共に、仕切板の下面側に、排尿チューブを収納可能にした第二収納部を形成したので、導尿器の不使用時には、メインルーメン及び排尿チューブを各々の収納部にコンパクトに収納でき、従って導尿器の置き場所を取らず、携帯に便利な形態とすることができるという作用効果が得られる。
【００１０】
また、請求項２に記載した発明に係る導尿器は、請求項１に記載したものの構成に加え、前記収容器の第一収納部の囲繞側壁の一部に、軟弾性を有する部位を一体に設け、当該部位の中央に縦方向の切込みを入れて、当該切込みが、前記メインルーメンの外部への導出口となるように形成したことを特徴とする。
【００１１】
このように、第一収納部の囲繞側壁の一部に軟弾性を有する部位を設け、ここに形成した切込み導出口からコネクターを外部へ導出することにより、導尿器を使用している間でも、消毒液が第一収納部から外部へ漏出することを防止できるという作用効果が得られる。
【００１２】
そして、請求項３に記載した発明に係る導尿器は、請求項２に記載したものの構成に加え、前記軟弾性を有する部分を露出可能に被覆する被覆部材を前記囲繞側壁に設けたことを特徴とする。
【００１３】
このように、被覆部材により軟弾性を有する部分を被覆することにより、不使用時に切込みから消毒液が漏れるのを有効防止することができる。軟弾性ゆえに切込みから消毒液が漏れる恐れは極めて少ないが、その部分を被覆部材で覆うほうが、より確実な漏れ防止を行うことができる。使用する時は、軟弾性を有する部分を露出させ、使用した後は再度被覆する。
【００１４】
そして、請求項４に記載した発明に係る導尿器は、請求項２又は３に記載したものの構成に加え、コネクターは短管状の三部材が連結して形成され、その内の第一部材の一端部が、メインルーメンの下端のジョイント部に接続され、その中間部が第一収納部の囲繞側壁の切込み導出口に挿入され、その他端部が軟弾性短管よりなる第二部材の一端部に接続され、また、第三部材はその一端部が前記第二部材の他端部に接続され、その中間部が収容器の仕切板に固着され、その下端部が排尿チューブの上端部に接続されるものであることを特徴とし、請求項５に記載したように、好ましくは、上記コネクターの第一部材は硬質の短管よりなり、その断面形状は両端部が真円形であり、中間部が縦長の楕円形であることを特徴とする。
【００１５】
このように、コネクターを三部材からなる構成とし、その内の第二部材を軟弾性短管とすることにより、不使用時に、メインルーメンを第一収納部に巻込み収納し易くし、また、第一部材を剛性短管とすると共に、好ましくは、その中間部の断面形状を縦長の楕円形にしておけば、上記第一部材を、第一収納部の囲繞側壁に形成した軟弾性の切込み導出口に挿着した時に、第一収納部の外へ消毒液が漏出することを防止できるという作用効果が得られる。
【００１６】
また、請求項６に記載した発明に係る導尿器は、請求項１乃至請求項５に記載したものの構成に加え、収容器の第一収納部の囲繞側壁の上縁部にパッキンを周設し、且つ、第一収納部の囲繞側壁の対向する二ヶ所に、係止爪を立上げ形成した弾発係止部を設け、そして、前記第一収納部を被蓋する第一蓋体に、前記係止爪に符合する位置に被係止爪を設けると共に、蝶番を介して、前記第一収納部を第一蓋体で開閉自在に密封するようにしたことを特徴とする。これにより、第一収納部を第一蓋体で被蓋すれば、パッキン、弾発係止部及び蝶番の作用により、導尿器の使用時、不使用時に関係なく、第一収納部内の消毒液の漏出を防止することができるという作用効果が得られる。
【００１７】
そして又、請求項７に記載した発明に係る導尿器は、請求項１乃至請求項６に記載したものの構成に加え、収容器の第二収納部と当該第二収納部を被蓋する第二蓋体間を、ねじ込み方式又は蝶番を介し弾発係止手段を利用して被蓋するようにしたことを特徴とする。これにより、導尿器の不使用時には、軟弾性の排尿チューブを第二収納部内に簡単に折畳み収納することができるという作用効果が得られる。
【００１８】
【本発明の実施の形態】
以下、本発明の実施態様を図面に基づき具体的に説明する。
図１は、本発明の導尿器の実施例を示す透視側面図であり、図２は、本発明でコネクターの第一部材の断面形状を示す側面図であり、図３は、本発明の第一収納部の囲繞側壁の導出口からコネクターを導出する状態を示す正面図であり、図４は、本発明の収容器の第一収納部と第一蓋体との開閉機構を示す一部切欠正面図であり、図５は、本発明の使用状態を示す側面図であり、図６は、本発明に係る導尿器の不使用時の状態を示す透視平面図であり、図７は、本発明に係る導尿器の不使用時の状態を示す透視底面図である。図８は、図３に示す導尿器の変形例を示す図である。
【００１９】
図示したように、本発明の導尿器１は、尿路を形成する耐キンク性のメインルーメン１１と軟弾性の排尿チューブ１３と、この両者を連結するコネクター１２、及び、上記コネクター１２を固着した仕切板１４１の上面側に、上記メインルーメン１１を巻込んで消毒液Ｄを液密に収納できるようにした第一収納部１４ａと、上記仕切板１４１の下面側に、上記排尿チューブ１３を折畳み収納できるようにした第二収納部１４ｂとから構成されるものである。
【００２０】
上記導尿器１のメインルーメン１１の外径や長さは、女性用に解剖学的統計で設定した標準的な数値であって、患者に対応させて変更される。例えば、成人男性用であれば標準外径を３ｍｍ〜４ｍｍ、標準長さを約２５０ｍｍとする等、患者の体型に合わせて長さや外径を変更することができる。メインルーメン１１の材質は、非ポリ塩化ビニル樹脂であるポリウレタン、１，２ポリブタジエン、エチレンと他の単量体との共重合体、プロピレンと他の単量体との共重合体等の内から選ばれるものであって、これらは耐薬品性（消毒液等に耐える）に優れ、適度な屈撓性、弾発復元性を備えていると共に、尿道から膀胱に至るまで挿入する間に、捩れたり腰折れを起さない耐キンク性を有するものである。
【００２１】
一方、上記メインルーメン１１にコネクター１２を介して接続される排尿チューブ１３は、耐薬品性を備えていると共に極めて優れた屈撓性を有するシリコンゴム、フッ素ゴム、ブチルゴム等の内から選ばれ好適に使用される。
【００２２】
そして、上記メインルーメン１１と排尿チューブ１３間を接続するコネクター１２は、硬質短管状の第一部材１２１と、上記排尿チューブ１３と同様の軟弾性の材質からなる第二部材１２２と、硬質短管状の屈折部を有する第三部材１２３からなり、図１乃至図３に示すように、上記第一部材１２１の一端部が、メインルーメン１１の下端のジョイント部１１１に接続され、その中間部は、第一収納部１４ａの囲繞側壁１４２の軟弾性部位１４３に形成された切込み導出口１４４に挿入される部分であって、その他端部が上記第二部材１２２の一端部に接続され、また、上記第三部材１２３は、その一端部が上記第二部材１２２の他端部に接続され、その中間部が、図１に示すように、収容器１４の仕切板１４１の中央より偏った位置から中央寄りに屈折させて立上げ形成され、その下端部が排尿チューブ１３の上端部に接続されるようになっている。
【００２３】
上記コネクター１２の第一部材１２１は、耐薬品性を有するポリテトラフルオロエチレン、オレフィン系樹脂、ポリアミド系樹脂、ポリエステル系樹脂等からなる硬質の短管であって、その断面形状は、図２に示すように、両端部が真円形であり、中間部が縦長の楕円形であることが好ましい。これにより、図３に示すように、第一部材１２１の中間部を、矢印方向から第一収納部１４ａの軟弾性部位１４３に形成した切込み導出口１４４へ挿着したときに、軟弾性部位１４３からの弾圧で、中間部の楕円形部分が潰されない状態にシールされ、第一収納部１４ａ内の消毒液Ｄが、第一収納部１４ａから外へ漏出することが防止される。
【００２４】
また、本発明では、図４に示すように、上記収容器１４の第一収納部１４ａの囲繞側壁１４２の上縁部にパッキング１４５を周設し、且つ、第一収納部１４ａの囲繞側壁１４２の対向する二ヶ所に、係止爪１４７を立上げ形成した弾発係止部１４６を設けると共に、蝶番１５１を介して、第一収納部１４ａに第一蓋体１５を開閉自在に取付けている。即ち、第一収納部１４ａの囲繞側壁１４２の対向する二ヶ所に配設する上記弾発係止部１４６は、液密に囲まれたボックス型の凹陥部内を、スプリング１４８の弾発力により矢印方向にスライド移動するように取付けられている。そして、上記第一蓋体１５を第一収納部１４ａに被せて押付けてやれば、第一蓋体１５に形成した被係止爪１５２が係止爪１４７に弾発的に引っ掛かり、第一蓋体１５を確実且つ容易に閉じることができる。また、第一蓋体１５を開ける場合には、弾発係止部１４６の外壁面を内側へ指先で押付けてやると共に、第一蓋体１５に凸設した指掛け部１５３を押上げれば、第一蓋体１５を確実且つ容易に開けることができる。これにより、導尿器１の使用時、不使用時を問わず、第一収納部１４ａ内の消毒液Ｄの液漏れを防止することができる。
【００２５】
なお、第一収納部１４ａ内には、導尿器１の使用時並びに不使用時を問わず、常に、０．０２５％程度の塩化ベンゼトニウム溶液等の消毒液Ｄを満しておくが、この消毒液Ｄはやや粘稠性を帯びているので、上述した構成の第一蓋体１５付き第一収納部１４ａから液漏れを生ずることはない。
【００２６】
そして、収容器１４の第二収納部１４ｂに第二蓋体１６を被蓋する場合は、蝶番１６１を介し、第二収納部１４ｂの上縁外周部に形成した膨出係止部１４９に、第二蓋体１６の内周縁部に形成した被係止部１６３を弾圧係着して被蓋するか、或いは、図示してないが、蝶番１６１を取付けずに、第二蓋体１６を収容器１４と別個に形成し、これを第二収納部１４ｂにねじ込み被蓋するようにしてもよい。別個に形成した場合は、第ニ蓋体１６と収容器１４とを合成樹脂製の紐（ストリング）により連結しておくことが、第ニ蓋体１６の紛失を防止するために好ましい。なお、第一蓋体１５及び上記前者の第二蓋体１６には、蝶番１５１、１６１の対向位置に指掛け部１５３、１６２を形成しておくと蓋体の開閉に便利である。
【００２７】
本発明の導尿器１を使用する時には、第一収納部１４ａを被蓋する第一蓋体１５を開け、図６に示す如く、第一収納部１４ａ内に巻込まれ消毒液Ｄに浸り収まっているメインルーメン１１及びこれをジョイント部１１１で連結したコネクター１２の第一部材１２１を、図３に示すように、囲繞側壁１４２の軟弾性部位１４３に形成した切込み導出口１４４から導出したのち第一蓋体１５を閉じ、そして、第二収納部１４ｂを被蓋する第二蓋体１６を開け、図７に示す如く、第二収納部１４ｂに折畳まれ収まっている排尿チューブ１３を引出す。そして、図５に示すように、第一収納部１４ａから導出したメインルーメン１１を尿道から膀胱に到るまで挿入して、メインルーメン１１の先端の尿入口１１２から、メインルーメン１１及び排尿チューブ１３を通して、矢印方向へ尿Ｕを排出することができる。
【００２８】
そして、尿Ｕを排出したのち導尿器１を使用しない時には、第一蓋体１５を開け、メインルーメン１１及びコネクター１２を第一収納部１４ａに巻込み収めて第一蓋体１５で被蓋し、そして、排尿チューブ１３を第二収納部１４ｂに折畳み収めて第二蓋体１６で被蓋するものである。
【００２９】
なお、図８に示す本実施形態の変形例のように、囲繞側壁１４２の外周に被覆部材１８を回転自在に設け、この被覆部材１８に形成した開口部１９を矢印方向に回転させることにより軟弾性部位１４３に合わせ、これにより、軟弾性部位１４３を露出可能に構成することができる。つまり、導尿器１の使用時に開口部１９を回転して軟弾性部位１４３を露出させ、使用後は、被覆部材１８を再び回転させて開口部１９の位置をずらすことにより軟弾性部位１４３を再び被覆することができる。軟弾性部位１４３自体が軟弾性を有しているから切込み導出口１４４から消毒液が漏れる恐れは極めて少ないが、その部分を被覆部材１８で覆うほうが、より確実な漏れ防止を行うことができる。さらに、メインルーメン１１を外部操作により第１収納部１４ａ内に巻き入れるための巻き入れ構造（図示なし）を設けることもできる。
【００３０】
【発明の効果】
本発明は、コネクターを固着した仕切板の上面側に、メインルーメンと該メインルーメンを消毒する消毒液とを密封収納可能にした第一収納部を形成すると共に、仕切板の下面側に、排尿チューブを収納可能にした第二収納部を形成したので、導尿器の不使用時には、メインルーメン及び排尿チューブを各々の収納部にコンパクトに収納でき、従って導尿器の置き場所を取らず、携帯に便利な形態とすることができる。即ち、メインルーメンは適度な屈撓性と耐キンク性を有するので、第一収納部に巻込んでコンパクトに収納できると共に、排尿チューブも屈撓自在な軟弾性材料よりなるので、これを第二収納部に折畳んでコンパクトに収納することができるものである。
【００３１】
また、第一収納部の囲繞側壁の軟弾性部位に形成した切込み導出口から、メインルーメンに連結した断面楕円形の第一部材を外部へ導出すると共に、第一収納部に第一蓋体を被蓋すれば、導尿器を使用している間であっても、消毒液が第一収納部から外部へ漏出することを防止できるという作用効果が得られる。
【図面の簡単な説明】
【図１】本発明の導尿器の実施例を示す透視側面図である。
【図２】本発明でコネクターの第一部材の断面形状を示す側面図である。
【図３】本発明の第一収納部の囲繞側壁の導出口からコネクターを導出する状態を示す正面図である。
【図４】本発明の収容器の第一収納部と第一蓋体との開閉機構を示す一部切欠正面図である。
【図５】本発明の使用状態を示す側面図である。
【図６】本発明の不使用時の状態を示す透視平面図である。
【図７】本発明の不使用時の状態を示す透視底面図である。
【図８】図３に示す導尿器の変形例を示す図である。
【図９】従来技術の一例を示す側断面図である。
【符号の説明】
１        導尿器
１１      メインルーメン
１１１    ジョイント部
１１２    尿入口
１２      コネクター
１２１    第一部材
１２２    第二部材
１２３    第三部材
１３      排尿チューブ
１４      収容器
１４ａ    第一収納部
１４ｂ    第二収納部
１４１    仕切板
１４２    囲繞側壁
１４３    軟弾性部位
１４４    切込み導出口
１４５    パッキング
１４６    弾発係止部
１４７    係止爪
１４８    スプリング
１５      第一蓋体
１５１    蝶番
１５２    被係止爪
１５３    指掛け部
１６      第二蓋体
１６１    蝶番
１６２    指掛け部
Ｄ        消毒液
Ｕ        尿
【図１】
0003710447.tif 000002
【図２】
0003710447.tif 000003
【図３】
0003710447.tif 000004
【図４】
0003710447.tif 000005
【図５】
0003710447.tif 000006
【図６】
0003710447.tif 000007
【図７】
0003710447.tif 000008
【図８】
0003710447.tif 000009
【図９】
0003710447.tif 000010